(57)【要約】【課題】各種電子機器に使用される開閉装置及びこれを用いた電子機器に関し、薄型化が図れると共に、製作が容易で安価なものを提供することを目的とする。【解決手段】板状の固定体１１に対して可動体１２を所定方向へ移動可能に保持するガイド手段を、固定体１１と可動体１２の対向面に設けることによって、固定体１１や可動体１２、ガイド体１３を鋼板等の板状のもので形成できるため、全体の薄型化が図れると共に、これらをプレス加工等の比較的簡易な加工で製作できるため、製作が容易で安価な開閉装置及びこれを用いた電子機器を得ることができる。【選択図】図１
2006066526.tif 000002
【特許請求の範囲】
【請求項１】
板状の固定体と、この固定体上面に配置された可動体と、この可動体を固定体に対し所定方向へ移動可能に保持するガイド手段からなり、上記ガイド手段を上記固定体と可動体の対向面に設けた開閉装置。
【請求項２】
ガイド手段を固定体と可動体へ一体に形成した請求項１記載の開閉装置。
【請求項３】
請求項１記載の開閉装置の固定体及び可動体を、固定筐体及び可動筐体に装着し、上記固定筐体に対し可動筐体を所定方向へ移動可能に保持した電子機器。
【発明の詳細な説明】
【技術分野】
【０００１】
本発明は、携帯電話やパーソナルコンピュータ等の各種電子機器に使用される開閉装置、及びこれを用いた電子機器に関するものである。
【背景技術】
【０００２】
近年、携帯電話やパーソナルコンピュータ等の電子機器の高機能多様化や小型薄型化が進むなか、固定筐体に対し可動筐体を回転或いは摺動させて開閉を行うものが増えており、これらに用いられる開閉装置においても、小型薄型化が図れ安価なものが求められている。
【０００３】
このような従来の開閉装置及びこれを用いた電子機器について、図４及び図５を用いて説明する。
【０００４】
図５は従来の開閉装置の分解斜視図であり、同図において、１は鋼材等の金属製の固定体、２は固定体１上面に配置された金属製の可動体で、固定体１の両側面にはガイド手段としてのガイド溝１Ａが、可動体２の内側面には同じく突出部２Ａが各々形成され、このガイド溝１Ａに突出部２Ａが挿入されて、固定体１に対し可動体２が前後方向へ摺動可能に保持されている。
【０００５】
また、３は中間部が複数回巻回された鋼線等のばねで、一端が固定体１の孔１Ｂに、他端が可動体２の孔２Ｂに挿入され、このばね３がやや撓んだ状態で固定体１と可動体２の間に装着されることによって、固定体１に対し可動体２が前方向へ付勢されて開閉装置５が構成されている。
【０００６】
そして、このように構成された開閉装置５は、例えば、図４（ａ）の携帯電話の斜視図に示すように、固定体１が上面に複数のキーからなる操作部６Ａが形成された固定筐体６へ、可動体２が上面に液晶表示素子等の表示部７Ａやスピーカ等の音声出力部７Ｂ、マイクロフォン等の音声入力部７Ｃが形成された可動筐体７へ各々装着固定され、開閉装置５によって固定筐体６に対して可動筐体７が前後方向へ摺動可能に保持されて、電子機器が構成される。
【０００７】
以上の構成において、ばね３によって固定体１に対し可動体２が前方向へ付勢された状態では、図４（ａ）に示すように、可動体２が装着された可動筐体７は、固定筐体６に対して閉じた状態で保持されている。
【０００８】
そして、この閉状態から、図４（ｂ）に示すように、可動筐体７を手で後方向へ摺動させると、この操作に伴って可動筐体７に装着された可動体２が後方向へ摺動し、可動体２の孔２Ｂが固定体１の孔１Ｂを超える位置になると、ばね３が反転して可動体２が後方向へ付勢されて可動筐体７が開き、露出した操作部６Ａの操作が可能な状態となる。
【０００９】
つまり、可動筐体７に装着された可動体２を前または後方向へ摺動させ、ばね３によって可動体２を前または後方向へ付勢することによって、固定筐体６に対する可動筐体７の開閉操作が行われるように構成されているものであった。
【００１０】
なお、この出願の発明に関連する先行技術文献情報としては、例えば、特許文献１が知られている。
【特許文献１】特開２００３−１１０６７５号公報
【発明の開示】
【発明が解決しようとする課題】
【００１１】
しかしながら、上記従来の開閉装置及びこれを用いた電子機器においては、金属製の固定体１の両側面にガイド溝１Ａを設け、このガイド溝１Ａに可動体２内側面の突出部２Ａを挿入することによって、固定体１に対して可動体２が前後方向へ摺動可能なようにしてガイド手段が形成されており、固定体１はある程度の厚さが必要となって、全体の薄型化を図ることが困難であると共に、金属製の固定体１側面にガイド溝１Ａを形成するには、切削加工や押出成形加工等を行う必要があるため、構成部品の製作に時間を要し、高価なものとなるという課題があった。
【００１２】
本発明は、このような従来の課題を解決するものであり、薄型化が図れると共に、製作が容易で安価な開閉装置及びこれを用いた電子機器を提供することを目的とする。
【課題を解決するための手段】
【００１３】
上記目的を達成するために本発明は、以下の構成を有するものである。
【００１４】
本発明の請求項１に記載の発明は、板状の固定体に対して可動体を所定方向へ移動可能に保持するガイド手段を、固定体と可動体の対向面に設けて開閉装置を構成したものであり、ガイド手段を固定体と可動体の対向面に設けることによって、固定体等を鋼板等の板状のもので形成できるため、全体の薄型化が図れると共に、固定体等をプレス加工等の比較的簡易な加工で製作できるため、製作が容易で安価な開閉装置を得ることができるという作用を有する。
【００１５】
請求項２に記載の発明は、請求項１記載の発明において、ガイド手段を固定体と可動体へ一体に形成したものであり、構成部品を減らし、さらに安価に開閉装置を形成することができるという作用を有する。
【００１６】
請求項３に記載の発明は、請求項１記載の開閉装置の固定体及び可動体を、固定筐体及び可動筐体に装着し、固定筐体に対し可動筐体を所定方向へ移動可能に保持して電子機器を構成したものであり、製作が容易で安価な電子機器を実現することができるという作用を有する。
【発明の効果】
【００１７】
以上のように本発明によれば、薄型化が図れると共に、製作が容易で安価な開閉装置及びこれを用いた電子機器を実現することができるという有利な効果が得られる。
【発明を実施するための最良の形態】
【００１８】
以下、本発明の実施の形態について、図１〜図４を用いて説明する。
【００１９】
なお、背景技術の項で説明した構成と同一構成の部分には同一符号を付して、詳細な説明を簡略化する。
【００２０】
（実施の形態）
図１は本発明の一実施の形態による開閉装置の断面図、図２は同分解斜視図であり、同図において、１１は鋼板や銅合金板等の金属製で板状の固定体、１２は固定体１１上面に配置された同じく金属製で板状の可動体で、固定体１１上面の両端には、段差をつけて折曲された金属製で板状のガイド体１３が固着されると共に、可動体１２両端には、下面に突出して折曲されたガイド片１２Ａが形成されている。
【００２１】
そして、この可動体１２下面のガイド片１２Ａが、固定体１１上面とガイド体１３の間に挿入され、可動体１２下面と固定体１１上面、つまり互いの対向面にガイド手段が設けられて、固定体１１に対し可動体１２が前後方向へ摺動可能に保持されている。
【００２２】
また、１４と１５は中間部が略Ｕ字状に折曲された鋼線や銅合金等のばねで、各々の一端が固定体１１の孔１１Ｂと１１Ｃに、他端が可動体１２の孔１２Ｂと１２Ｃに挿入され、このばね１４と１５がやや撓んだ状態で固定体１１上面と可動体１２下面の間に装着されることによって、固定体１１に対し可動体１２が前方向へ付勢されて開閉装置１０が構成されている。
【００２３】
なお、上記のようにガイド体１３とガイド片１２Ａによって形成されたガイド手段が、固定体１１と可動体１２の対向面に設けられているため、固定体１１や可動体１２、ガイド体１３を板状の金属で形成することができると共に、その製作も、プレス加工等の比較的簡易な方法で行うことが可能なように構成されている。
【００２４】
そして、このように構成された開閉装置１０は、例えば、図４（ａ）の携帯電話の斜視図に示すように、固定体１１が上面に複数のキーからなる操作部６Ａが形成された固定筐体６へ、可動体１２が上面に液晶表示素子等の表示部７Ａやスピーカ等の音声出力部７Ｂ、マイクロフォン等の音声入力部７Ｃが形成された可動筐体７へ各々装着固定され、開閉装置１０によって固定筐体６に対して可動筐体７が前後方向へ摺動可能に保持されて、電子機器が構成される。
【００２５】
以上の構成において、ばね１４と１５によって固定体１１に対し可動体１２が前方向へ付勢された状態では、図４（ａ）に示すように、可動体１２が装着された可動筐体７は、固定筐体６に対して閉じた状態で保持されている。
【００２６】
そして、この閉状態から、図４（ｂ）に示すように、可動筐体７を手で後方向へ摺動させると、この操作に伴って可動筐体７に装着された可動体１２が後方向へ摺動し、可動体１２の孔１２Ｂや１２Ｃが固定体１１の孔１１Ｂや１１Ｃを超える位置になると、ばね１４と１５が反転して可動体１２が後方向へ付勢されて可動筐体７が開き、露出した操作部６Ａの操作が可能な状態となる。
【００２７】
つまり、可動筐体７に装着された可動体１２を前または後方向へ摺動させ、ばね１４と１５によって可動体１２を前または後方向へ付勢することによって、固定筐体６に対する可動筐体７の開閉操作が行われる。
【００２８】
そして、この時、可動体１２下面のガイド片１２Ａが、固定体１１上面とガイド体１３の間に挿入され、この可動体１２と固定体１１の対向面に設けられたガイド手段によって、可動体１２が固定体１１に対してガタツキ等がなく、確実に摺動するように構成されている。
【００２９】
このように本実施の形態によれば、板状の固定体１１に対して可動体１２を所定方向へ移動可能に保持するガイド手段を、固定体１１と可動体１２の対向面に設けて開閉装置を構成することによって、固定体１１や可動体１２、ガイド体１３を鋼板等の板状のもので形成できるため、全体の薄型化が図れると共に、これらをプレス加工等の比較的簡易な加工で製作できるため、製作が容易で安価な開閉装置及びこれを用いた電子機器を得ることができるものである。
【００３０】
そして、図３の断面図に示すように、可動体１２両端下面に突出折曲されたガイド片１２Ａを一体形成すると共に、ガイド体１３に代えて、固定体１１両端を上方へ折曲して、固定体１１上面にガイド部１１Ａを一体に形成し、このガイド部１１Ａに可動体１２下面のガイド片１２Ａを挿入してガイド手段を形成すれば、ガイド体１３が不要となって構成部品が少なくなり、さらに安価に開閉装置を形成することが可能となる。
【産業上の利用可能性】
【００３１】
本発明による開閉装置及びこれを用いた電子機器は、薄型化が図れると共に、製作が容易で安価なものを得ることができ、各種電子機器の開閉装置として有用である。
【図面の簡単な説明】
【００３２】
【図１】本発明の一実施の形態による開閉装置の断面図
【図２】同分解斜視図
【図３】同他の実施の形態による断面図
【図４】同携帯電話の斜視図
【図５】従来の開閉装置の分解斜視図
【符号の説明】
【００３３】
６  固定筐体
６Ａ  操作部
７  可動筐体
７Ａ  表示部
７Ｂ  音声出力部
７Ｃ  音声入力部
１０  開閉装置
１１  固定体
１１Ａ  ガイド部
１１Ｂ、１１Ｃ  孔
１２  可動体
１２Ａ  ガイド片
１２Ｂ、１２Ｃ  孔
１３  ガイド体
１４、１５  ばね
【図１】
2006066526.tif 000003
【図２】
2006066526.tif 000004
【図３】
2006066526.tif 000005
【図４】
2006066526.tif 000006
【図５】
2006066526.tif 000007